(57)【要約】【課題】  レイアウトを編集する編集画面において、動作モード切替え手段により動作モードを切替えることで、メニュー項目の順番の並び変えを実現すること。【解決手段】  複数の項目を表示することが可能な表示画面と、複数の項目から任意の項目を選択可能な選択手段と、選択手段によって選択された項目を確定可能な確定手段と、を有する表示装置であって、表示画面に表示される項目のレイアウトを編集する編集画面と、選択手段によって選択された項目の動作モードを切り替える動作モード切替え手段と、動作モード切替え手段によって切替え可能な動作モードは、選択手段によって複数の項目から任意の項目を再度選択可能な動作モードと、選択手段によって選択された項目のレイアウトを変更可能な動作モードと、の何れかであって、確定手段と、動作モード切替え手段と、は同一の手段のであること。【選択図】  図２
2018151820.tif 000002
【特許請求の範囲】
【請求項１】
複数の項目を表示することが可能な表示画面（２１０）と、 
前記複数の項目から任意の項目を選択可能な選択手段（２０６及び２０７）と、
前記選択手段によって選択された項目を確定可能な確定手段（２０５）と、
を有する表示装置であって、
前記表示画面に表示される項目のレイアウトを編集する編集画面（図４）と、 
前記選択手段によって選択された項目の動作モードを切り替える動作モード切替え手段（２０５）と、 
前記動作モード切替え手段によって切替え可能な動作モードは、
・前記選択手段によって複数の項目から任意の項目を再度選択可能な動作モードと、
・前記選択手段によって選択された項目のレイアウトを変更可能な動作モードと、
の何れかであって、
前記確定手段（２０５）と、
前記動作モード切替え手段（２０５）と、
は同一の手段のであることを特徴とする表示装置。 
【請求項２】
複数の項目を表示することが可能な表示画面と、 
前記複数の項目から任意の項目を選択可能な選択手段と、
前記選択手段によって選択された項目を確定可能な確定手段と、
を有する表示装置であって、
前記表示画面に表示される項目のレイアウトを編集する第一の編集画面（図５）と、
前記表示画面に表示される項目のレイアウトを編集する第二の編集画面（図６）と、
を有しており、
第一の編集画面は、前記選択手段により項目を選択することが可能で、
第二の編集画面は、前記選択手段により項目のレイアウトを変更することが可能で、
第一の編集画面と第二の編集画面とは、前記確定手段によって択一的に切替わることを特徴とする表示装置。
【請求項３】
項目のレイアウトを変更可能な状態である場合に、選択状態の項目の項目名の先頭に項目のレイアウト変更可能あることを示すアイコンを表示させることを特徴とする請求項１又は２に記載の表示装置。
【請求項４】
項目のレイアウトとは、項目の並び順であることを特徴とする請求項１又は２に記載の表示装置
【発明の詳細な説明】
【技術分野】
【０００１】
本発明は、メニュー画面の表示制御方法に関し、操作性を向上させることを目的とする。
【背景技術】
【０００２】
近年、機能の多様化に伴い、ＰＣやスマートフォン、複合機などにおいて、ホーム画面などに代表される複数のメニュー項目を並べて配置する画面が提供されている。こういったホーム画面においては、使用者は各メニュー項目を自由に並び変えることで、使いやすい順番にメニュー項目の位置を変更できるのが一般的である。
【０００３】
このメニュー項目の並び変えの方法として、操作部にタッチパネル機能を搭載している機器においては、タッチパネル上で対象の項目を選択し、ドラッグ＆ドロップにより並び順や位置・レイアウト等を変更できるものもある。また、ドラッグ＆ドロップが出来ない機器でも、並び順や位置を変更するための手段、例えばマウスなどのポインティングデバイスやキーボードなどのハードキーが用意されている。
【０００４】
一方で、コストに対する要求の厳しい廉価な機器の場合、タッチパネルを搭載することができず、またハードキーも必要最低限の構成となるため、上記の様な操作は行えない。
【先行技術文献】
【特許文献】
【０００５】
【特許文献１】特開平５−３０３４８１号公報
【発明の概要】
【０００６】
本発明においては、タッチパネルがなく、ハードキーも必要最低限の構成である廉価な機器であっても、使用者が容易にメニュー項目の位置を変更可能な表示装置もしくは表示制御方法を提案するものである。
【発明が解決しようとする課題】
【０００７】
特許文献１に記載の発明は、項目を並び変える方法として、項目ごとに「番号」を設定する方法を提案している。しかし、この発明においては「項目を選択する手段」、「項目に番号を設定する手段」、「項目の番号を確定する手段」という異なる三つの手段が必要となる。これらの各手段はそれぞれが専用のハードキーや１０キー、マウスなどのポインティングデバイスなどで実現するため、機器全体として費用がかかってしまい低コストでの実現が難しい。
【課題を解決するための手段】
【０００８】
複数の項目を表示することが可能な表示画面（２１０）と、 
前記複数の項目から任意の項目を選択可能な選択手段（２０６及び２０７）と、
前記選択手段によって選択された項目を確定可能な確定手段（２０５）と、
を有する表示装置であって、
前記表示画面に表示される項目のレイアウトを編集する編集画面（図４）と、 
前記選択手段によって選択された項目の動作モードを切り替える動作モード切替え手段（２０５）と、 
前記動作モード切替え手段によって切替え可能な動作モードは、
・前記選択手段によって複数の項目から任意の項目を再度選択可能な動作モードと、
・前記選択手段によって選択された項目のレイアウトを変更可能な動作モードと、
の何れかであって、
前記確定手段（２０５）と、
前記動作モード切替え手段（２０５）と、
は同一の手段のであることを特徴とする表示装置。 
【発明の効果】
【０００９】
本発明によると、レイアウトを編集する編集画面において、動作モード切替え手段により動作モードを切替えることで、メニュー項目の順番の並び変えを実現するものである。これにより、使用者は項目を選択可能な選択手段と、項目を確定可能な確定手段のみを使用するため、操作が容易であり、また、最小限の機器構成であるため、コストも低く抑えることが可能である。
【図面の簡単な説明】
【００１０】
【図１】本実施形態に係るスキャンライン方式のプリンタの構成例を示す図である。
【図２】本実施形態に係るプリンタの操作パネル（１０３）の構成例を示す図である。
【図３】ホーム画面を示す図である。
【図４】ボタン選択画面を示す図である。
【図５】ボタン選択画面で選択状態を「用紙設定」に変更した状態を示す図である。
【図６】「順番変更モード」の状態を示す図である。
【図７】「順番変更モード」でメニュー項目の配置が変更されたことを示す図である。
【図８】「順番変更モード」が解除された図である。
【図９】メニュー項目の配置が変更されたホーム画面を示す図である。
【発明を実施するための形態】
【００１１】
以下、本発明を実施するための形態について図面を用いて説明する。
【００１２】
＜本発明における表示装置の構成＞
［システム構成］
図１は、本実施形態に係るスキャンライン方式のプリンタの構成例を示す図である。プリンタ１００内において、プロセッサ１０１、メモリ１０２、操作パネル１０３、ネットワークアダプタ１０４、記憶装置１０５、ＲＩＰデバイス１０６、およびプリンタエンジン１０７を備える。また、プリンタ１００内の各構成部は、バス１１０を介して、それぞれ通信可能に接続される。
【００１３】
プロセッサ１０１は、メモリ１０２に記憶された処理手順、すなわち、所定のプログラムに従って、上述した各構成部を制御する。メモリ１０２には、プロセッサ１０１が利用するプログラムやデータが記憶されている。また、記憶装置１０５には、本システムが必要とするプログラムやデータが記録されている。記憶装置１０５として、２つ以上の装置を接続する構成にすることも可能である。また、記憶装置１０５として、ＲＯＭ、ハードディスク、ＵＳＢストレージ、ＳＤカード、ネットワークストレージ等の異なる記憶装置を併用することも可能である。
【００１４】
操作パネル１０３は、タッチパネルではなく物理的なボタンによって使用者からの操作を受け取る手段で実現している。プリンタ１００は、操作パネル１０３を介して種々の印刷指示を受け付ける。また、プリンタ１００は、操作パネル１０３を介してプリンタ１００に関する情報を表示することが可能である。また、プリンタ１００は、ネットワークアダプタ１０４を介してネットワーク１２０に接続できる。例えば、使用者は、ホストコンピュータ１３０からネットワーク１２０を介し、プリンタ１００に印刷指示を出すことが可能である。
【００１５】
［操作パネルの構成］
図２は、本実施形態に係るプリンタの操作パネル（１０３）の構成例を示す図である。操作パネル（１０３）は以下に説明する複数のハードキーと、表示パネル（２１０）から構成される。なお、表示パネル（２１０）はタッチパネル式ではないため使用者はハードキーを駆使することで、メニュー項目の選択や確定などの様々な行為を行う。
【００１６】
２０１は「ホームキー」を示している。ホーム画面へ戻る場合にこのボタンを使用する。２０２は「Backキー」を示している。遷移前の画面や、 １階層上の画面に戻るときに使用する。２０３は「節電キー」を示している。手動で節電モードに移行する場合に使用する。また、節電モードから復帰する場合にも使用する。２０４は「状況確認キー」を示している。ジョブ状況やデバイスのステータスを確認する場合に使用する。
【００１７】
２０５は「OKキー」を示している。メニュー項目操作時は選択しているメニュー項目を実行もしくは次のメニューへ進む場合に使用する。また、設定表示時は設定値を確定する場合に使用する。
【００１８】
２０６及び２０７は上下キーを示している。各々、以下の際に使用する。
・「上キー（２０６）」：メニュー項目操作時は現在選択されているメニュー項目の一つ上に配置されている項目を選択する場合に使用する。また、設定表示時は設定値を増やす場合に使用する。
・「下キー（２０７）」：メニュー項目操作時は現在選択されているメニュー項目の一つ下に配置されている項目を選択する場合に使用する。また、設定表示時は設定値を減らす場合に使用する。
【００１９】
２０８及び２０９は左右キーである。以下の際に使用する。
・「右キー」（２０８）：次のメニューへ進む、もしくは入力フィールドで右に移動。
・「左キー」（２０９）：前のメニューへ戻る、もしくは入力フィールドで左に移動。
【００２０】
２１０は表示部である。この表示部はタッチパネル式ではないため、使用者は上記説明したいずれかのハードキーを使用して、表示される各メニュー項目を選択し、必要に応じて確定することで、様々な命令を実行することが可能になる。
【００２１】
［表示部の説明］
図３（ａ）は、操作パネル（１０３）上の表示部（２１０）に表示されるホーム画面を示している。以下、このホーム画面を使用して細部を説明する。
【００２２】
表示部（２１０）は表示画面タイトル（３０１）と、ボタンリスト（３０２）と、スクロールバー（３０２）と、から構成される。
【００２３】
表示画面タイトル（３０１）は、現在表示されている画面のタイトルが表示される。図３（ａ）の例では、現在の表示がホーム画面であることを示す「ホーム」の文字と、ホーム画面アイコンが表示される。なお、表示画面タイトル（３０１）には必ずしも現在表示されている画面のタイトルが表示される訳ではなく、その画面で必要な操作を指示するための文言を表示する場合もある。
【００２４】
ボタンリスト（３０２）は、複数のメニュー項目を縦方向に並べたリストである。図３（ａ）の場合、上から「セキュアプリント」「メモリーメディア」「用紙設定」「ホーム画面の表示順番」の順にメニュー項目が配置されている。さらに、図３（ａ）の場合「セキュアプリント」が選択状態であることを示すために、他のメニュー項目とは異なり表示が白黒反転されている。この状態で、OKキー（２０５）を押下すると、セキュアプリント機能の詳細な画面が表示部（２１０）に表示される。
【００２５】
また、図３（ａ）の場合、ボタンリスト（３０２）にはメニュー項目は４つだけ表示されているが、項目自体は４つ以上存在し、上下キーによりメニュー項目の選択状態を切り替えることで表示されていないメニュー項目を表示させることが可能である。
【００２６】
図３（ｂ）は、図３（ａ）の状態から下キー（２０７）を５回押下し、現在選択されているメニュー項目を「ダイレクト接続」に設定した状態を示している。この場合、図３（ａ）のボタンリスト（３０２）の最上位に配置されていた「セキュアプリント」はボタンリスト（３０２）から表示が消える。
【００２７】
また、スクロールバー（３０２）は、ボタンリスト（３０２）の表示位置と連動しており、現在表示されているメニュー項目がボタンリスト（３０２）全体のどの位置に配置されているのかが、使用者に分かる仕組みになっている。
【００２８】
以上が、本実施形態に係る表示パネル（２１０）の基本的な動作となる。
【００２９】
本発明の目的は図３（ａ）に示すホーム画面のボタンリスト（３０２）の各メニュー項目の表示順を変更するに当たり、使用者にとって容易かつ、低コストで機器構成を実現することである。
【００３０】
以下に、本実施形態におけるボタンリスト（３０２）の各メニュー項目の表示順変更方法について詳細に説明する。なお、以下では図３に示すホーム画面のボタンリスト（３０２）の上から２番目に配置されている「メモリーメディア」と、上から３番目に配置されている「用紙設定」を入れ替える際の方法を説明するものとする。
【００３１】
［ホーム画面の表示順番］
ホーム画面のボタンリスト（３０２）の各メニュー項目の表示順を変更するためには、まず「ホーム画面の表示順番」メニューを実行する必要がある。これは図３（ａ）に示すホーム画面のボタンリスト（３０２）に表示されている「ホーム画面の表示順番」を上下キーで選択し、OKキー（２０５）で確定することで実行が可能である。
【００３２】
「ホーム画面の表示順番」メニューが実行されると、表示パネル（２１０）には図４に示すボタン選択画面が表示される。ボタン選択画面の表示画面タイトル（３０１）にはメニュー項目を選択する旨の文言が表示されると共に、ボタンリスト（３０２）にはホーム画面で表示されるメニュー項目が表示される。使用者はこのボタンリスト（３０２）の中から、移動させたいメニュー項目を選択する。なお、図４に示す通り、当該画面が表示された直後はボタンリスト（３０２）の一番上に配置されている「セキュアプリント」が選択状態になっている。
【００３３】
この状態で、下キー（２０７）を２回押下し、現在の選択状態を「用紙設定」に変更した状態を示すものが図５である。
【００３４】
ここで、OKキー（２０５）を押下すると、上下キーの動作モードが「順番変更モード」に切り替わる。本発明においては、動作モードが「順番変更モード」の場合、上下キーを押下した際はメニュー項目自体の順番が変更される。
【００３５】
具体的に説明すると、図５の状態でOKキー（２０５）を押下した状態を示すものが図６である。図６では「順番変更モード」に切り替わっている事を使用者に示すため、表示画面タイトル（３０１）に順番を変更する旨の文言が表示されると共に、選択中のメニュー項目である「用紙設定」に移動可能であることを示すアイコンが表示される。
【００３６】
この状態で、上キー（２０６）を１回押下した状態を示すものが図７である。図７は「順番変更モード」でメニュー項目の配置が変更されたことを示す図である。具体的には図７に示すように「メモリーメディア」と「用紙設定」の順番が入れ替わって表示されている。
【００３７】
更にこの状態で、OKキー（２０５）を押下した状態を示すものが図８である。図８は「順番変更モード」が解除された図である。具体的には、OKキー（２０５）を押下すると再び上下キーの動作モードが切り替わり、表示画面タイトル（３０１）にメニュー項目を選択する旨の文言が表示されると共に、選択中のメニュー項目である「用紙設定」のアイコンが消える。
【００３８】
最後に、ホームキー（２０１）を押下することで、ホーム画面に遷移する。図９は遷移後のホーム画面を示しており、メニュー項目の配置が変更されたホーム画面を示す図である。ホーム画面のボタンリスト（３０２）の「メモリーメディア」と、「用紙設定」との順番が入れ替わっているのが分かる。
【００３９】
なお、本実施形態では所定の画面においてOKキー（２０５）を押下することにより動作モードを切り替えたが、動作モードを切り替えるのではなく、画面自体を別の画面に遷移させる方法でも構わない。具体的に説明すると、図８の画面においてOKキー（２０５）を押下下際に、動作モードを切り替えるのではなく、図９という新たな画面に遷移させる方法である。
【００４０】
この方法の場合であっても、ボタンリスト（３０２）内のメニュー項目の並び順はそのままであれば、使用者にとってはあたかも動作モードが切り替わったかのように見える。また、本実施形態においては上下キーによるメニュー項目の一次元での並び変えを説明したが、上下キーだけでなく、左右キーも併用したメニュー項目の二次元でのレイアウト変更を行っても良い。
【００４１】
以上、説明したように、本発明は所定の画面においてOKキー（２０５）を押下することで、上下キーの動作モードを切替えることにより、メニュー項目の順番の並び変えを可能とするものである。使用者としては上下キーとOKキー（２０５）のみを使用するため、操作が容易であると共に、最小限の機器構成であるため、コストも低く抑えることが可能である。
【符号の説明】
【００４２】
２０１・・・ホームキー
２０２・・・Backキー
２０３・・・節電キー
２０４・・・状況確認キー
２０５・・・OKキー
２０６・・・上キー
２０７・・・下キー
２０８・・・右キー
２０９・・・左キー
２１０・・・表示パネル
【図１】
2018151820.tif 000003
【図２】
2018151820.tif 000004
【図３】
2018151820.tif 000005
【図４】
2018151820.tif 000006
【図５】
2018151820.tif 000007
【図６】
2018151820.tif 000008
【図７】
2018151820.tif 000009
【図８】
2018151820.tif 000010
【図９】
2018151820.tif 000011